(57)【要約】【課題】  像保持体の停止に際し、現像剤に含まれる各帯電成分の像保持体への移行が抑制された画像形成装置を提供する。【解決手段】  像保持体の周面に、背景電位とは異なる像電位を付与することで静電潜像を形成する潜像形成部；少なくとも帯電トナーを含んだ現像剤を有する、背景電位と像電位との間の現像電位が付与されることで現像剤中の帯電トナーで静電潜像を現像してトナー像を形成する現像部；像保持体との間を被転写体が通る、トナー像を被転写体上に静電的に転写する転写部；像保持体の周面の電位を直接的あるいは間接的に測定する電位測定部；および、背景電位付与部への電圧印加を止めた場合に現像部に、電位測定部で測定された電位に基づいた電位を付与することで、現像部の電位を、像保持体の周面のうち現像部に対向した周面部分の電位に対して帯電トナーの極性とは逆極性側に位置する電位に保つ電源部；を備えた。【選択図】        図４
2011203350.tif 000002
【特許請求の範囲】
【請求項１】
少なくとも周面が循環移動する、該周面に像が形成される、該像を保持する像保持体；
電圧が印加されて該電圧によって前記像保持体の周面に、前記像の背景となる背景電位を付与する背景電位付与部；
前記像保持体の周面に、前記背景電位とは異なる像電位を付与することで静電潜像を形成する潜像形成部；
前記像保持体の周面に対向して配置された、少なくとも帯電トナーを含んだ現像剤を有する、前記背景電位と前記像電位との間の現像電位が付与されることで該現像剤中の帯電トナーで前記静電潜像を現像してトナー像を形成する現像部；
前記像保持体の周面に対向して配置された、該像保持体との間を被転写体が通る、前記像保持体上のトナー像を該被転写体上に静電的に転写する転写部；
前記像保持体の周面の電位を直接的あるいは間接的に測定する電位測定部；および
前記背景電位付与部への電圧印加と前記現像部への電位付与とを担う電源部であって、該背景電位付与部への電圧印加を止めた場合に前記現像部に、前記電位測定部で測定された電位に基づいた電位を付与することで、該現像部の電位を、前記像保持体の周面のうち該現像部に対向した周面部分の電位に対して前記帯電トナーの極性とは逆極性側に位置する電位に保つ電源部；
を備えたことを特徴とする画像形成装置。
【請求項２】
前記電位測定部が、前記転写部と前記像保持体との間の電流およびまたは電圧を測定することによって該像保持体の周面の電位を間接的に測定するものであり、
前記転写部が、前記像保持体の周面の移動に連れて少なくとも周面が循環移動するものであって、該転写部から前記現像部に至る該像保持体の周面移動の距離よりも短い周長を有するものであることを特徴とする請求項１記載の画像形成装置。
【請求項３】
前記転写部が、前記像保持体の周面の移動に連れて少なくとも周面が循環移動するものであり、
前記電位測定部が、前記像保持体の周面の電位を、前記像保持体の周面移動で前記転写部より下流側かつ前記現像部より上流側に位置する測定箇所にて直接に測定する、該測定箇所から該現像部に至る該像保持体の周面移動の距離は該転写部の周長よりも長いものであることを特徴とする請求項１記載の画像形成装置。
【発明の詳細な説明】
【技術分野】
【０００１】
本発明は、画像形成装置に関する。
【背景技術】
【０００２】
従来より、直流帯電で感光体表面に電荷を付与し、その感光体表面に静電的な像を形成するタイプの画像形成装置が知られている。また、このタイプの画像形成装置には、感光体の回転を停止させる際に、転写器の電位を利用して感光体表面の除電を行うものも知られている（特許文献１参照）。
【先行技術文献】
【特許文献】
【０００３】
【特許文献１】特開平０６−００３８８３号公報
【発明の概要】
【発明が解決しようとする課題】
【０００４】
本発明は、像保持体の停止に際し、現像剤に含まれる各帯電成分の像保持体への移行が抑制された画像形成装置を提供することを目的とする。
【課題を解決するための手段】
【０００５】
請求項１に係る画像形成装置は、
少なくとも周面が循環移動する、この周面に像が形成される、この像を保持する像保持体；
電圧が印加されてこの電圧によって上記像保持体の周面に、上記像の背景となる背景電位を付与する背景電位付与部；
上記像保持体の周面に、上記背景電位とは異なる像電位を付与することで静電潜像を形成する潜像形成部；
上記像保持体の周面に対向して配置された、少なくとも帯電トナーを含んだ現像剤を有する、上記背景電位と上記像電位との間の現像電位が付与されることでこの現像剤中の帯電トナーで上記静電潜像を現像してトナー像を形成する現像部；
上記像保持体の周面に対向して配置された、この像保持体との間を被転写体が通る、上記像保持体上のトナー像をこの被転写体上に静電的に転写する転写部；
上記像保持体の周面の電位を直接的あるいは間接的に測定する電位測定部；および
上記背景電位付与部への電圧印加と上記現像部への電位付与とを担う電源部であって、この背景電位付与部への電圧印加を止めた場合に上記現像部に、上記電位測定部で測定された電位に基づいた電位を付与することで、この現像部の電位を、上記像保持体の周面のうちこの現像部に対向した周面部分の電位に対して上記帯電トナーの極性とは逆極性側に位置する電位に保つ電源部；
を備えたことを特徴とする。
【０００６】
請求項２に係る画像形成装置は、
上記電位測定部が、上記転写部と上記像保持体との間の電流およびまたは電圧を測定することによってこの像保持体の周面の電位を間接的に測定するものであり、
上記転写部が、上記像保持体の周面の移動に連れて少なくとも周面が循環移動するものであって、この転写部から上記現像部に至るこの像保持体の周面移動の距離よりも短い周長を有するものであることを特徴とする。
【０００７】
請求項３に係る画像形成装置は、
上記転写部が、上記像保持体の周面の移動に連れて少なくとも周面が循環移動するものであり、
上記電位測定部が、上記像保持体の周面の電位を、上記像保持体の周面移動で上記転写部より下流側かつ上記現像部より上流側に位置する測定箇所にて直接に測定する、この測定箇所からこの現像部に至るこの像保持体の周面移動の距離はこの転写部の周長よりも長いものであることを特徴とする。
【発明の効果】
【０００８】
請求項１に係る画像形成装置によれば、本構成を有していない場合に比較して、像保持体の停止に際し、現像剤に含まれる各帯電成分の像保持体への移行を抑制できる。
【０００９】
請求項２に係る画像形成装置によれば、本構成を有していない場合に比較して、簡便な構成で像保持体の周面電位を測定することができる。
【００１０】
請求項３に係る画像形成装置によれば、本構成を有していない場合に比較して、像保持体の周面電位を高精度に測定することができる。
【図面の簡単な説明】
【００１１】
【図１】画像形成装置の概略構成図である。
【図２】除電による感光体ロールの表面電位の変化を示すグラフ図である。
【図３】感光体ロールの周囲の拡大図である。
【図４】電位センサによる感光体ロールの表面電位の計測結果を示すグラフ図である。
【図５】制御部において実行されるルーチンのフローチャートである。
【図６】第２実施形態の画像形成装置の感光体ロール付近の拡大図である。
【発明を実施するための形態】
【００１２】
以下、本発明の実施形態に係る画像形成装置の一例について説明する。
【００１３】
図１は、画像形成装置の概略構成図である。
【００１４】
図１に示される画像形成装置１は、矢印Ａ方向に回転する感光体ロール１１、矢印Ｂ方向に回転しながら感光体ロール１１に接触して感光体ロール１１の表面に電荷を付与する帯電ロール１２、電荷が付与された感光体ロール１１の表面に光を照射して静電的な潜像を形成する露光器１７、露光器１７によって形成された静電潜像を、トナーと磁性キャリアが含まれた現像剤のうちのトナーで現像する現像器１３、矢印Ｄ方向に回転することで、現像器１３による現像により形成されたトナー像を、給紙カセット２０から搬送経路Ｒにそって搬送されてくる記録用紙に転写する転写ロール１４、トナー像が転写された後に感光体ロール上に残留する残留トナーを掻き落とすクリーニングブレード１５、搬送経路Ｒに沿って記録用紙を搬送する搬送ロール群１８、および、トナー像が転写された記録用紙を加熱および加圧してトナー像を記録用紙に定着する定着器１６を備えている。
【００１５】
現像器１３は、ハウジング１３２の内部に矢印Ｃ方向に回転する現像ロール１３１を保持している。また、現像器１３は、ハウジング１３２の内部にトナーと磁性キャリアとを含む現像剤を収容しており、磁性キャリアは、トナーとの摩擦によりトナーを摩擦帯電させる電荷付与粒子であり磁性粒子でもある。この現像器１３では、内部に収容している現像剤を攪拌し、この攪拌によりトナーと磁性キャリアとを摩擦させている。この摩擦により、トナーはマイナス極性に帯電し、磁性キャリアはプラス極性に帯電する。このため、現像器１３では、トナーと磁性キャリアとは電気的に吸着しあって渾然一体になっている。現像ロール１３１は、感光体ロール１１に対向して回転しながら、現像剤を感光体ロール１１との間の領域に搬送する。
【００１６】
また、図１に示される画像形成装置１は、詳しくは後述するが、感光体ロール１１の表面電位を検出する電位センサ１９と、電位センサ１９から送信されてくる、この電位センサ１９で検出された、表面電位を表す信号を受信する制御部１０とを備えている。
【００１７】
この制御部１０では、外部から受信した画像信号に基づいて露光器１７からの露光光の発光を制御しており、さらには、帯電ロール１２へ印加する電圧の制御、現像ロール１３１に付与する現像バイアスの制御、および転写ロール１４に対する定電流制御を行っている。この画像形成装置１が、本発明の画像形成装置の第１実施形態である。
【００１８】
ここで、図１に示される画像形成装置１における画像形成の動作の流れについて簡単に説明する。
【００１９】
矢印Ａ方向に回転する感光体ロール１１には、この感光体ロール１１の表面に接触して回転する帯電ロール１２により、画像の背景となる背景電位が付与される。次に、露光器１７より感光体ロール１１の表面に画像に対応する露光光が照射されて感光体ロール１１の表面が除電され、その除電された部分の電位が背景電位に対する像電位となる。これら背景電位と像電位とにより、感光体ロール１１の表面には静電的な潜像が形成される。潜像は現像部１３によってトナーで現像され、感光体ロール１１上にトナー像が形成される。トナー像は、搬送経路Ｒに沿って搬送されてきた用紙上に転写ロール１４によって転写される。用紙上に転写されたトナー像は、定着器１６により用紙上に加圧および定着される。以上が、画像形成装置１における画像形成の流れと各部の動作の簡単な説明である。
【００２０】
現像器１３による、静電的な潜像のトナーによる現像は以下の様に行われる。
【００２１】
現像ロール１３１は、図示は省略するが、矢印Ｃ方向に回転する中空円筒形状のスリーブと、このスリーブ内部にこのスリーブとは独立に固定された、このスリーブの周回方向に複数の磁石が配列されたマグネットロールとで構成されている。ハウジング１３２に収容されている現像剤は、スリーブ内部に配備されたマグネットロールからの磁力によってスリーブ表面に吸着される。また、現像ロール１３１には、前述したように現像バイアスが付与されている。現像ロール１３１が有するこの現像バイアスと、感光体ロール１１に形成された静電潜像が有する像電位との間の電位差によって発生する電界により、現像ロール１３１の表面に吸着された現像剤のうちのトナーが感光体ロール１１の静電潜像側に静電的に引っ張られる。これにより、静電潜像はトナーによって現像される。
【００２２】
制御部１０は、転写ロール１４に対し、プラス極性の電位を付与する定電流制御を行っている。このため、これら転写ロール１４と感光体ロール１１との間には、転写ロール１４から感光体ロール１１へ向く向きの電界が発生する。感光体ロール１１の表面に形成されたトナー像は、これら転写ロール１４と感光体ロール１１との間に発生したこの電界により、記録用紙上へ転写される。
【００２３】
本実施形態の画像形成装置１は、装置構成の単純化のために、帯電ロール１１に対して直流と交流を重畳した電圧に代えて直流電圧のみを印加するものであり、また、省電力化を図るために、１連の画像形成ジョブが終了した後は、直ちに消費電力の大きい帯電ロール１２への電圧印加を停止し、感光体ロール１１の回転停止に向けた待機モードに入る。
【００２４】
ジョブが終了した後、感光体ロール１１の表面には、直近の画像形成による背景電位が残留したままになっていることから、待機モードにおいて直ちに現像ロール１３１への現像バイアスの付与も停止してしまうと、現像ロール側から感光体ロール側へ向く向きの大きな電界が発生し、現像剤中のキャリアが感光体ロール側に移行してしまい、画像形成の再開に悪影響が出るおそれがある。
【００２５】
そこで、画像形成装置１では、感光体ロール１１の回転停止に向けて、転写ロール１４への定電流制御を維持して、感光体ロール１１との間に用紙を挟み込んだ状態では、感光体ロール１１の表面に保持されているトナー像を用紙側に転写する転写機能を、感光体ロール１１との間に用紙を挟まない状態では、感光体ロール１１の表面電位の除電機能として利用する。これにより、感光体ロール１１の表面電位は周回ごとに除電される。一方、現像ロール１３１に対しては、プラス極性に帯電しているキャリアを感光体ロール１１の表面に移行させるほど大きくはない電位差を、次第に除電されてゆく感光体ロール１１の表面電位との間に生じさせるアース側の電位を付与する。
【００２６】
ここで、転写ロール１４による除電電位は、転写ロール１４の周面に付着した付着物や環境などによって、その回転周期内でも変化すると共に、その変化傾向は待機モードに入る毎に変化する。
【００２７】
図２は、除電による感光体ロールの表面電位の変化を示すグラフ図である。
【００２８】
図２には、実機においては現像器１３が邪魔となるため、画像形成装置１から現像器１３を取り外した状態で感光体ロール１１の表面電位を、感光体ロール１１と現像ロール１３１との間の現像領域で計測した結果が示されている。
【００２９】
図２からは、帯電ロール１２により背景電位を付与され、用紙越しに転写ロール１４による転写作用を受けた、直近の画像形成の１ページ分の画像に相当する感光体ロール上の箇所と、帯電ロール１２による背景電位の付与は無い上に、用紙を挾まない状態での転写ロール１４による除電作用により１回目の除電が行われた箇所との境目の箇所（以下では、この境目の箇所を箇所ｓ称す。）が現像領域に到達した時刻ｔ２以前では、感光体ロール１１の表面電位として背景電位とほぼ同じ−６００Ｖが検出されていることが読み取れる。
【００３０】
また、図２からは、時刻ｔ２から、この感光体ロール１１の周期Ｔ１が経過する時刻ｔ４までの表面電位については、転写ロール１４による除電電位が変化することに伴い上下動していることが読みとれる。
【００３１】
ここで、図２に示される表面電位の変化に対し、１５０Ｖ程度アース側の現像バイアスを完璧に追随させて付与できれば、感光体ロール１１への現像剤の移行は抑制できる。しかしながら、表面電位の変化が大きい場合、その変化を現像領域で検出して、即座に現像バイアスに反映させることが困難な場面も考えられる。
【００３２】
そこで、この画像形成装置１では、転写ロール１４の周期Ｔ２における、感光体ロール１１の表面電位の平均電位に着目し、以下に説明するようにして現像バイアスを決定している。尚、この画像形成装置１では、箇所ｓが転写領域を通過してから除電性能が安定しない過渡期にあたる期間Ｔ’以降の期間Ｔ２を転写ロール１４の周期としている。
【００３３】
図２からは、転写ロール１４による除電傾向は、感光体ロール１１に対し１回目の除電を行う場合と２回目の除電を行う場合とでは差がなく、安定していることが読み取れる。これにより、最初の転写ロール１４の周期（Ｔ２）中の感光体ロール１１の表面電位の平均（約−４００Ｖ）を算出し、感光体ロール１１の最初の周期Ｔ１の間の現像バイアスは、この−４００Ｖから１００Ｖだけアース側の−３００Ｖとなる。また、この−４００Ｖと表面電位（−６００Ｖ）との差分をとれば、転写ロール１４との１回の接触による除電電位約２００Ｖが得られる。したがって、転写ロール１４と２回接触した感光体ロール１１の平均の表面電位は、最初の転写ロール１４の周期（Ｔ２）中の感光体ロール１１の表面電位の平均（約−４００Ｖ）と除電電位２００Ｖとから−２００Ｖであると推定でき、この−２００と１００Ｖとから次の現像バイアスは計算上は−１００Ｖとなる。
【００３４】
図２には、感光体ロール１１の表面電位の平均に対して、現像バイアスを適切に追随させた理想的な状態が示されている。
【００３５】
しかしながら、現像領域において感光体ロール１１の表面電位を測定していては、時刻ｔ２の段階では感光体ロール１１の表面電位の平均を得ることはできず、現像バイアスも決定できない。このため、図２に示すように現像バイアスを追随させるには、感光体ロール１１の表面電位の検出箇所を、現像領域よりも、感光体ロール１１の回転方向上流側に持ってくる必要がある。
【００３６】
そこで、画像形成装置１では、図１に示される、感光体ロール１１の表面電位を検知する電位センサ１９を、現像領域から感光体ロール１１の周面に沿って転写ロール１４の周長以上遡った位置に配備し、箇所ｓが現像領域に到達する時刻ｔ２以前に、感光体ロール１１の表面電位の平均を算出し、現像バイアスを決定する。尚、帯電ロール１２が、本発明にいう背景電位付与部の一例に相当し、露光器１７が、本発明にいう潜像形成部の一例に相当する。また、現像器１３が、本発明にいう現像部の一例に相当し、転写ロール１４が、本発明にいう転写部の一例に相当する。
【００３７】
図３は、感光体ロールの周囲の拡大図である。
【００３８】
図３に示される、電位センサ１９から感光体ロール１１の周囲に沿った現像領域までの距離Ｒとして、現像ロール１４の周長ｒよりも長い距離が確保されている。
【００３９】
以下、電位センサ１９による感光体ロール１１の表面電位の計測による現像バイアスの決定プロセスについて説明しながら、図３に示されている配置構成が採られている理由について図４および図５を参照しながら詳細に説明する。
【００４０】
図４は、電位センサによる感光体ロールの表面電位の計測結果を示すグラフ図である。
【００４１】
図４には、現像ロール１３１と感光体ロール１１との間の現像領域における、感光体ロール１１の表面電位の時間変化を示す図２に示されるグラフＡに対して、図３に示される、現像領域とは感光体ロール１１を挟み反対側に位置する電位センサ１９で検出された感光体ロール１１の表面電位の時間変化を示すグラフＢが太実線で書き加えられている。
【００４２】
図４からは、箇所ｓが時刻ｔ０に電位センサ１９と対向する位置に到達したことが読みとれる。電位センサ１９からの感光体ロール１１の表面電位を表す信号を受信している制御部１０では、１回目の除電がされた箇所ｓが電位センサ１９と対向する位置に到達した時刻ｔ０から期間Ｔ’にかけて得られた受信信号は過渡期のデータであるとして採用せず、時刻ｔ０から期間Ｔ’が経過した時刻ｔ１から転写ロール１４の周期Ｔ２の間に得られた受信信号に基づいて感光体ロール１１の表面電位の平均を算出する。そして、算出した平均値−４００Ｖと、時刻ｔ０以前の表面電位である−６００Ｖとの差分が転写ロール１４による除電電位（約２００Ｖ）となる。さらに、現像バイアスとして、平均値−４００Ｖとの電位差が１００Ｖである−３００Ｖを決定する。現像バイアスは、箇所ｓが現像領域に到達した時刻ｔ２にそれまでの−４５０Ｖから−２５０Ｖに変更される。また、転写ロール１４による２回目の除電を受けると、感光体ロール１１の表面電位の平均は、１回目の除電による−４００Ｖと除電電位２００Ｖとから−２００Ｖになるものと推定される。このため、２回目の除電を受けた箇所ｓが現像領域に到達する時刻ｔ４には、現像バイアスは、−２００Ｖとの電位差が１００Ｖとなる現像バイアス−１００Ｖに切替えられるべきところ、制御部１０では、表面電位の平均が−２００Ｖ以下と推定される場合には、例え現像ロール１３１との間の電位差が２００Ｖとなっても大きな影響はないことから、現像バイアスを０Ｖに落とす。この制御部１０が、本発明にいう電源部の一例に相当する。尚、表面電位が−２００Ｖ以下の感光体ロール１１に対する除電はもう必要ないことから、感光体ロール１１の箇所ｓが現像領域を抜け、転写ロール１４に到達した時刻で、転写ロール１４に対する電位付与を停止してもよい。
【００４３】
図５は、制御部において実行されるルーチンのフローチャートである。
【００４４】
このルーチンは、画像形成装置１において画像形成が終了し感光体ロール１１の停止に向けた待機モードに入った際に起動され、ステップＳ１では、帯電ロール１２による感光体ロール１１への帯電が停止される。ステップＳ２では、感光体ロール上の箇所ｓが電位センサ１９と対向する位置に到達してから期間Ｔ’経過した後の周期Ｔ２の間に電位センサ１９で検出される表面電位をモニタする。この画像形成装置１では、期間Ｔ’と周期Ｔ２とを併せた時間に感光体ロール１１の表面が回転する距離分だけ、現像領域から感光体ロール１１の周囲に沿って遡った位置、すなわち、現像領域から転写ロール１４の周長ｒよりも長い距離を遡った位置に電位センサ１９が備えられていることで、箇所ｓが現像領域に到達する前に現像バイアスの決定がなされる。ステップＳ３では、周期Ｔ２の間にモニタした表面電位の平均値を算出し、背景電位との差分である除電電位を算出する。尚、転写ロール１４との１回の接触による除電電位は最初の周期Ｔ２の間のモニタで判明するが、その後もモニタを続けて除電電位を転写ロール１４の周期毎に算出するものであっても良い。ステップＳ４では、ステップＳ３で算出した除電電位に基づいて現像バイアスを算出する。ステップＳ５では、感光体ロール１１の箇所ｓが現像領域に到着するまで待機し、到着したらステップＳ６に進む。ステップＳ６では、現像ロール１３１の現像バイアスを、ステップＳ４で算出した値に変更する。ステップＳ７では、感光体ロール上の箇所ｓが再び現像領域に到着するまで待機し、到着したらステップＳ８に進む。ステップＳ８では、新たな現像バイアスを、推定した除電電位に基づいて算出した電位にする。ステップＳ９では、推定した感光体ロール１１の表面電位が予め設定されている設定値（−２００Ｖ）以下になったか否かを判定する。ステップＳ９において、設定値以下になっていないと判定すると、ステップＳ７に戻り、設定値以下になったと判定すると、ステップＳ１０に進み、現像バイアスへの電圧の印加を停止する。
【００４５】
次に、本発明の第２実施形態に係る画像形成装置の一例について説明する。
【００４６】
第１実施形態と第２実施形態との間の相違点は、第１実施形態では感光体ロール１１の表面電位を電位センサ１９で直接的に検知して転写ロール１４の除電電位を検出するのに対し、第２実施形態では転写ロール１４による除電電位を転写ロール１４の電圧をモニタして検出する点にある。
【００４７】
図６は、第２実施形態の画像形成装置の感光体ロール付近の拡大図である。尚、図６に示される部材のうち図３に示される部材と同じ機能の部材については図３に付されている符号と同じ符号が付されている。
【００４８】
図６に示されるように、第２実施形態の画像形成装置では、第１実施形態の画像形成装置１に備えられている電位センサ１９は備えられておらず、代わりに制御部１０１には、転写ロール１４の電圧をモニタする電圧モニタ１０１１が備えられている。
【００４９】
定電流制御の転写ロール１４においては、電流値を一定な値で制御するため、転写ロール１４１の抵抗の変動により転写ロール１４にかかる電圧が変動する。転写ロール１４の抵抗が比較的高い場合には電圧が高く、転写ロール１４の抵抗が比較的低い場合には電圧が低くなる。転写ロール１４にかかる電圧が高いと帯電能力が大きくなるために除電電位が大きくなる。また、転写ロール１４にかかる電圧が低いと帯電能力が小さくなるために放電が起こりにくく除電電位は低くなる。したがって、転写ロール１４にかかる電圧をモニタすることにより、転写ロール１４による除電電位を推定することができる。これにより、転写ロール１４に１回接触した感光体ロール１１の表面電位が推定でき、これに基づいて現像バイアスを決定できる。この電圧モニタ１０１１が、本発明の電位測定部の一例に相当する。
【００５０】
第２実施形態の画像形成装置でも、転写ロール１４による除電電位の推定には転写ロール１４の周期Ｔ２の間に感光体ロール１１の周囲が移動する距離が必要となることから、転写ロール１４から感光体ロール１１の周囲に沿った現像領域までの距離Ｒ’として、転写ロール１４の周長ｒよりも長い距離が確保されている。
【符号の説明】
【００５１】
１  画像形成装置
１０、１０１  制御部
１０１１  電圧モニタ
１１  感光体ロール
１２  帯電ロール
１３  現像器
１３１  現像ロール
１４  転写ロール
１６  定着器
１７  露光器
１９  電位センサ
【図１】
2011203350.tif 000003
【図２】
2011203350.tif 000004
【図３】
2011203350.tif 000005
【図４】
2011203350.tif 000006
【図５】
2011203350.tif 000007
【図６】
2011203350.tif 000008